(57)【特許請求の範囲】
【請求項１】
各管体を曲線布設してなる曲線部を有する地中管路にあって、互いに連結される一方の管体の端面より他方側に突出した筒状のカラー部と、他方の管体の端部に配置され、前記カラー部内に挿入される差し込み部と、前記カラー部の内周面と前記差し込み部の外周面との隙間に介在させた止水パッキンと、前記カラー部の内周面にリング状に突出した抜け出し防止凸部と、前記差し込み部の先端側外周部に互いに周方向に間隔を置いてそれぞれ半径方向に向けた複数のストッパー嵌合部と、該ストッパー嵌合部に半径方向に移動可能に嵌合させたストッパー金具とを備え、前記カラー部に差し込み部を挿し込んだ状態で前記ストッパー金具を前記抜け出し防止用凸部より差し込み方向前方で差し込み部外周面より突出させ、前記両管体を離脱不能に接続する離脱防止継手であって、
前記差し込み部には、その周方向の他の部分に配置された通常離脱抵抗部に比べて、該差し込み部の外周面からストッパー金具を多く突出させてなる強強度離脱抵抗部を備え、該強強度離脱抵抗部を曲線布設される各管体間の布設半径中心側に配置させ、該布設半径中心側で前記管体端面を突き合わせ、前記布設半径外周側の前記ストッパー金具と前記抜け出し防止用凸部とを係合させるようにしていることを特徴とする管路曲線部用耐震離脱防止継手。
【請求項２】
前記強強度離脱抵抗部は、前記通常離脱抵抗部に比べて、前記ストッパー嵌合部間の周方向ピッチが狭く、該ストッパー嵌合部を多く備えている請求項１に記載の管路曲線部用耐震離脱防止継手。
【請求項３】
前記差し込み部には、周方向で等間隔に前記ストッパー嵌合部を備え、前記強強度離脱抵抗部では、前記各ストッパー金具を差し込み部の外周面より突出させ、前記通常離脱抵抗部では、前記各ストッパー金具を間欠的に突出させるようにした請求項１に記載の管路曲線部用耐震離脱防止継手。
【請求項４】
前記ストッパー嵌合部は、その内周面部に雌ネジを有するアンカーナットを備え、前記ストッパー金具の外周に形成された雄ネジが前記アンカーナットに螺合されるようにした請求項１〜３の何れか１に記載の管路曲線部用耐震離脱防止継手。
【請求項５】
複数の曲線部用管体を曲線布設してなる曲線部を有する地中管路において、
互いに連結される一方の管体の端面より他方側に突出した筒状のカラー部と、他方の管体の端部に配置され、前記カラー部内に挿入される差し込み部と、前記カラー部の内周面と前記差し込み部の外周面との隙間に介在させた止水パッキンと、前記カラー部の内周面にリング状に突出した抜け出し防止凸部と、前記差し込み部の先端側外周部に互いに周方向に間隔を置いてそれぞれ半径方向に向けた複数のストッパー嵌合部と、該ストッパー嵌合部に半径方向に移動可能に嵌合させたストッパー金具とを備え、且つ、前記差し込み部の周方向の他の部分に配置された通常離脱抵抗部に比べて、該差し込み部の外周面からストッパー金具を多く突出させてなる強強度離脱抵抗部を備えている管路曲線部用耐震離脱防止継手を使用し、
前記強強度離脱抵抗部が曲線布設される各管体間の布設半径中心側に配置され、且つ、該布設半径中心側で前記管体端面が突き合わされるように前記差し込み部が前記カラー部に挿入され、その状態で前記ストッパー金具が前記差し込み部の外周より突出され、前記布設半径外周側の前記ストッパー金具と前記抜け出し防止用凸部とを係合させるようにしたことを特徴としてなる地中管路。
【請求項６】
前記曲線部と隣接する直線部にあって、互いに連結される一方の直線部用管体の端面より他方側に突出した筒状の直線部用カラー部と、他方の直線部用管体の端部に配置され、前記直線部用カラー部内に挿入される直線部用差し込み部と、前記直線部用カラー部の内周面と前記直線部用差し込み部の外周面との隙間に介在させた直線部用止水パッキンと、前記カラー部の内周面にリング状に突出した直線部用抜け出し防止凸部とを備え、
前記直線部用差し込み部には、差し込み方向先端側の外周部に互いに所望の周方向ピッチで半径方向に向けて配置した複数の耐震離脱抵抗用ストッパー嵌合部にそれぞれ直線部用ストッパー金具を移動可能に嵌合させてなる耐震離脱抵抗部と、該耐震離脱抵抗部の差し込み方向手前側に距離を置いて所望の周方向ピッチで半径方向に向けて配置した複数のスラスト抵抗用ストッパー嵌合部にそれぞれ直線部用ストッパー金具を移動可能に嵌合させてなるスラスト抵抗部とを備え、
前記直線部用カラー部に前記直線部用差し込み部を差し込み、前記直線部用差し込み部の外周面より前記各直線部用ストッパー金具を突出させ、前記スラスト抵抗部の直線部用ストッパー金具を前記直線部用抜け出し防止凸部と係合させ、前記直線部用両管体間に一定以上の力が作用した際には前記スラスト抵抗部の直線部用ストッパー金具が破損し、前記直線部用抜け出し防止用凸部が前記耐震離脱抵抗部側に移動できるようにした直線部用耐震離脱防止継手を備えている請求項５に記載の地中管路。
【発明の詳細な説明】
【技術分野】
【０００１】
本発明は、農業用水路等の地中管路を構成する管体間を連結する継手であって、特には曲線布設される管体間及び曲線部を構成する管体と直線部を構成する管体とを連結する管路曲線部用耐震離脱防止継手及びそれを使用した地中管路に関する。
【背景技術】
【０００２】
従来、農業用水路等に使用される地中管路では、その途中に地形や地上構造物等に整合させて屈曲させた曲線部が設けられ、このような曲線部は、直管間に連結された曲管や、互いに傾けつつ管体を連結して曲線布設することで構成されている。
【０００３】
この管路の曲線部には、管路内の流体圧力によって屈曲半径方向外側に向けて所謂スラスト力が作用し、このスラスト力によって曲線部を構成する管体が互いに離脱や振動するおそれがあることから、曲線部を構成する曲管と直管との間を連結する継手には、通常、互いに離脱方向の移動が規制され、スラスト力に対抗し得る構造のものが使用されている（例えば、特許文献１を参照）。
【０００４】
複数の管体を互いに傾けつつ連結することにより曲線部を構成する工法は、曲線部の曲率半径が小さいとスラスト力によって各管体間に作用する離脱方向の力が大きくなることから、背面土の抵抗でスラスト力を抑えられる程度の緩やかな曲線部にのみ適用されている。
【０００５】
また、地中管路の曲線部は、曲率半径方向外側が背面土に保持されており、曲線部に接続された地中管路の直線部には、スラスト力の反力が作用するため、直線部においても一定長さの互いに離脱方向の移動が規制される部分を設け、当該スラスト力の反力に対抗できるようにする必要がある。
【０００６】
更に、この種のスラスト力に対抗するには、例えば、曲線部上の地盤を開削した後、曲線部を構成する曲管を設置するとともに、スラストブロックやジオセンティクス等の固定部材を用いて曲線部を固定する構造も知られている（例えば、特許文献２を参照）。
【０００７】
一方、地中管路においては、管体間を連結する継手に一定の伸縮を許容しつつ、管体間を離脱不能に連結する耐震構造の離脱防止継手を使用し、地震動が発生した際には、管体間の離脱を防止しつつ、管体間を連結する各継手の伸縮により地盤の変位を吸収することが望まれている。
【先行技術文献】
【特許文献】
【０００８】
【特許文献１】特開２００２−０４８２７６号公報
【特許文献２】特開２００２−２７６８５３号公報
【発明の概要】
【発明が解決しようとする課題】
【０００９】
しかしながら、上述の特許文献１の如き従来の技術では、曲線部を構成する曲管と直管とを連結する継手が互いに離脱方向の移動が規制された状態にあるため、耐震構造に対応できず、地震動等によって曲線部に管路軸方向の力が作用すると、それに伴う変位を吸収できずに継手が破損するおそれがあった。
【００１０】
一方、上述の如き従来の耐震構造の離脱防止継手は、曲線部を構成する管体間の連結に適用しようとすると、一定の伸縮を許容する構造である為、スラスト力に対抗することができないという問題があり、特には、曲線部の曲率半径が小さいと、背面土の面積が小さくなるので、その分、別途スラスト力に対抗する手段を必要とするという問題があった。
【００１１】
また、曲線部を多用する地中管路においては、曲線部に接続される直線部に上述したスラスト力に対抗するために必要な地盤抵抗を得るための十分な長さを確保できず、直線部を構成する管体間にも耐震構造の離脱防止継手を適用出来ない場合があった。
【００１２】
更に、従来の如くスラストブロック等の固定部材を設けるためには、少なくとも曲線部上の土砂を開削してスラストブロック等の固定部材を設置し、しかる後、埋め戻さなければならず、作業が煩雑で効率が悪く、地上に構造物が存在した場合には適用できないという問題があった。
【００１３】
特に、地中管路を構成する管体を推進工法で埋設する場合、一般に土被りが深くなるため、スラストブロック等の設置によって工期が長期化し、コストが嵩むという問題があった。
【００１４】
そこで、本発明は、このような従来の問題に鑑み、通常時にはスラスト力に対抗でき、地震動発生時には耐震性能を発揮でき、設置が容易な管路曲線部離脱防止継手及びそれを使用した地中管路の提供を目的としてなされたものである。
【課題を解決するための手段】
【００１５】
上述の如き従来の問題を解決し、所期の目的を達成するための請求項1に記載の発明の特徴は、各管体を曲線布設してなる曲線部を有する地中管路にあって、互いに連結される一方の管体の端面より他方側に突出した筒状のカラー部と、他方の管体の端部に配置され、前記カラー部内に挿入される差し込み部と、前記カラー部の内周面と前記差し込み部の外周面との隙間に介在させた止水パッキンと、前記カラー部の内周面にリング状に突出した抜け出し防止凸部と、前記差し込み部の先端側外周部に互いに周方向に間隔を置いてそれぞれ半径方向に向けた複数のストッパー嵌合部と、該ストッパー嵌合部に半径方向に移動可能に嵌合させたストッパー金具とを備え、前記カラー部に差し込み部を挿し込んだ状態で前記ストッパー金具を前記抜け出し防止用凸部より差し込み方向前方で差し込み部外周面より突出させ、前記両管体を離脱不能に接続する離脱防止継手であって、前記差し込み部には、その周方向の他の部分に配置された通常離脱抵抗部に比べて、該差し込み部の外周面からストッパー金具を多く突出させてなる強強度離脱抵抗部を備え、該強強度離脱抵抗部を曲線布設される各管体間の布設半径中心側に配置させ、該布設半径中心側で前記管体端面を突き合わせ、前記布設半径外周側の前記ストッパー金具と前記抜け出し防止用凸部とを係合させるようにしている管路曲線部用耐震離脱防止継手にある。
【００１６】
請求項２に記載の発明の特徴は、請求項１の構成に加え、前記強強度離脱抵抗部は、前記通常離脱抵抗部に比べて、前記ストッパー嵌合部間の周方向ピッチが狭く、該ストッパー嵌合部を多く備えていることにある。
【００１７】
請求項３に記載の発明の特徴は、請求項１の構成に加え、前記差し込み部には、周方向で等間隔に前記ストッパー嵌合部を備え、前記強強度離脱抵抗部では、前記各ストッパー金具を差し込み部の外周面より突出させ、前記通常離脱抵抗部では、前記各ストッパー金具を間欠的に突出させるようにしたことにある。
【００１８】
請求項４に記載の発明の特徴は、請求項１〜３の何れか１の構成に加え、前記ストッパー嵌合部は、その内周面部に雌ネジを有するアンカーナットを備え、前記ストッパー金具の外周に形成された雄ネジが前記アンカーナットに螺合されるようにしたことにある。
【００１９】
請求項５に記載の発明の特徴は、複数の曲線部用管体を曲線布設してなる曲線部を有する地中管路において、互いに連結される一方の管体の端面より他方側に突出した筒状のカラー部と、他方の管体の端部に配置され、前記カラー部内に挿入される差し込み部と、前記カラー部の内周面と前記差し込み部の外周面との隙間に介在させた止水パッキンと、前記カラー部の内周面にリング状に突出した抜け出し防止凸部と、前記差し込み部の先端側外周部に互いに周方向に間隔を置いてそれぞれ半径方向に向けた複数のストッパー嵌合部と、該ストッパー嵌合部に半径方向に移動可能に嵌合させたストッパー金具とを備え、且つ、前記差し込み部の周方向の他の部分に配置された通常離脱抵抗部に比べて、該差し込み部の外周面からストッパー金具を多く突出させてなる強強度離脱抵抗部を備えている管路曲線部用耐震離脱防止継手を使用し、前記強強度離脱抵抗部が曲線布設される各管体間の布設半径中心側に配置され、且つ、該布設半径中心側で前記管体端面が突き合わされるように前記差し込み部が前記カラー部に挿入され、その状態で前記ストッパー金具が前記差し込み部の外周より突出され、前記布設半径外周側の前記ストッパー金具と前記抜け出し防止用凸部とを係合させるようにした地中管路にある。
【００２０】
請求項６に記載の発明の特徴は、請求項５の構成に加え、前記曲線部と隣接する直線部にあって、互いに連結される一方の直線部用管体の端面より他方側に突出した筒状の直線部用カラー部と、他方の直線部用管体の端部に配置され、前記直線部用カラー部内に挿入される直線部用差し込み部と、前記直線部用カラー部の内周面と前記直線部用差し込み部の外周面との隙間に介在させた直線部用止水パッキンと、前記カラー部の内周面にリング状に突出した直線部用抜け出し防止凸部とを備え、前記直線部用差し込み部には、差し込み方向先端側の外周部に互いに所望の周方向ピッチで半径方向に向けて配置した複数の耐震離脱抵抗用ストッパー嵌合部にそれぞれ直線部用ストッパー金具を移動可能に嵌合させてなる耐震離脱抵抗部と、該耐震離脱抵抗部の差し込み方向手前側に距離を置いて所望の周方向ピッチで半径方向に向けて配置した複数のスラスト抵抗用ストッパー嵌合部にそれぞれ直線部用ストッパー金具を移動可能に嵌合させてなるスラスト抵抗部とを備え、前記直線部用カラー部に前記直線部用差し込み部を差し込み、前記直線部用差し込み部の外周面より前記各直線部用ストッパー金具を突出させ、前記スラスト抵抗部の直線部用ストッパー金具を前記直線部用抜け出し防止凸部と係合させ、前記直線部用両管体間に一定以上の力が作用した際には前記スラスト抵抗部の直線部用ストッパー金具が破損し、前記直線部用抜け出し防止用凸部が前記耐震離脱抵抗部側に移動できるようにした直線部用耐震離脱防止継手を備えていることにある。
【発明の効果】
【００２１】
本発明に係る管路曲線部用耐震離脱防止継手は、上述したように、各管体を曲線布設してなる曲線部を有する地中管路にあって、互いに連結される一方の管体の端面より他方側に突出した筒状のカラー部と、他方の管体の端部に配置され、前記カラー部内に挿入される差し込み部と、前記カラー部の内周面と前記差し込み部の外周面との隙間に介在させた止水パッキンと、前記カラー部の内周面にリング状に突出した抜け出し防止凸部と、前記差し込み部の先端側外周部に互いに周方向に間隔を置いてそれぞれ半径方向に向けた複数のストッパー嵌合部と、該ストッパー嵌合部に半径方向に移動可能に嵌合させたストッパー金具とを備え、前記カラー部に差し込み部を挿し込んだ状態で前記ストッパー金具を前記抜け出し防止用凸部より差し込み方向前方で差し込み部外周面より突出させ、前記両管体を離脱不能に接続する離脱防止継手であって、前記差し込み部には、その周方向の他の部分に配置された通常離脱抵抗部に比べて、該差し込み部の外周面からストッパー金具を多く突出させてなる強強度離脱抵抗部を備え、該強強度離脱抵抗部を曲線布設される各管体間の布設半径中心側に配置させ、該布設半径中心側で前記管体端面を突き合わせ、前記布設半径外周側の前記ストッパー金具と前記抜け出し防止用凸部とを係合させるようにしていることにより、急曲線形の曲線布設であっても、通常時においては、通常離脱抵抗部を構成するストッパー金具のせん断抵抗で曲線部を構成する管体を連結する継手部の伸縮を規制してスラスト力に対抗し、地震動等により大きな外力が作用した際には、通常離脱抵抗部を構成するストッパー金具が破断して一定の変位を吸収できるとともに、強強度離脱抵抗部を構成するストッパー金具が抜け出し防止凸部に係合し、残存するストッパー金具のせん断耐力で地震動等による外力に対抗することで高い連結強度を維持することができる。また、地震動の終息後には、破断した通常離脱部を構成するストッパー金具を交換することによってスラスト力に対抗する状態を復元することができる。
【００２２】
また、本発明において、前記強強度離脱抵抗部は、前記通常離脱抵抗部に比べて、前記ストッパー嵌合部間の周方向ピッチが狭く、該ストッパー嵌合部を多く備えていることにより、強強度離脱抵抗部で周方向の他の部分よりストッパー金具を多く差し込み部の外周面より突出させることができる。
【００２３】
また、本発明において、前記差し込み部には、周方向で等間隔に前記ストッパー嵌合部を備え、前記強強度離脱抵抗部では、前記各ストッパー金具を差し込み部の外周面より突出させ、前記通常離脱抵抗部では、前記各ストッパー金具を間欠的に突出させるようにしたことにより、強強度離脱抵抗部で通常離脱抵抗部よりストッパー金具を多く差し込み部の外周面より突出させることができ、且つ、地震動等の外力によって通常離脱抵抗部のストッパー金具が破損した際、未使用のストッパー金具を突出させることによりスラスト力に対抗する状態を復元することができる。
【００２４】
更に、本発明において、前記ストッパー嵌合部は、その内周面部に雌ネジを有するアンカーナットを備え、前記ストッパー金具の外周に形成された雄ネジが前記アンカーナットに螺合されるようにしたことにより、設置作業が容易であるとともに、通常離脱抵抗部を構成するストッパー金具が地震動等によってそのせん断抵抗を超える外力を受けて破断した場合であっても、当該破断したストッパー金具を容易に取り外し、新たなストッパー金具に交換することができ、継手をスラスト力に対抗可能な状態に復元することができる。
【００２５】
また、本発明に係る地中管路では、複数の曲線部用管体を曲線布設してなる曲線部を有する地中管路において、互いに連結される一方の管体の端面より他方側に突出した筒状のカラー部と、他方の管体の端部に配置され、前記カラー部内に挿入される差し込み部と、前記カラー部の内周面と前記差し込み部の外周面との隙間に介在させた止水パッキンと、前記カラー部の内周面にリング状に突出した抜け出し防止凸部と、前記差し込み部の先端側外周部に互いに周方向に間隔を置いてそれぞれ半径方向に向けた複数のストッパー嵌合部と、該ストッパー嵌合部に半径方向に移動可能に嵌合させたストッパー金具とを備え、且つ、前記差し込み部の周方向の他の部分に配置された通常離脱抵抗部に比べて、該差し込み部の外周面からストッパー金具を多く突出させてなる強強度離脱抵抗部を備えている管路曲線部用耐震離脱防止継手を使用し、前記強強度離脱抵抗部が曲線布設される各管体間の布設半径中心側に配置され、且つ、該布設半径中心側で前記管体端面が突き合わされるように前記差し込み部が前記カラー部に挿入され、その状態で前記ストッパー金具が前記差し込み部の外周より突出され、前記布設半径外周側の前記ストッパー金具と前記抜け出し防止用凸部とを係合させるようにしたことにより、曲線部を急曲線形に曲線布設することができ、且つ、通常時には、曲線部を構成する管体を連結する継手部の伸縮を規制してスラスト力に対抗し、地震動等により大きな外力が作用した際には、連結強度を維持しつつ一定の変位を吸収する耐震構造とすることができる。
【００２６】
更に、本発明において、前記曲線部と隣接する直線部にあって、互いに連結される一方の直線部用管体の端面より他方側に突出した筒状の直線部用カラー部と、他方の直線部用管体の端部に配置され、前記直線部用カラー部内に挿入される直線部用差し込み部と、前記直線部用カラー部の内周面と前記直線部用差し込み部の外周面との隙間に介在させた直線部用止水パッキンと、前記カラー部の内周面にリング状に突出した直線部用抜け出し防止凸部とを備え、前記直線部用差し込み部には、差し込み方向先端側の外周部に互いに所望の周方向ピッチで半径方向に向けて配置した複数の耐震離脱抵抗用ストッパー嵌合部にそれぞれ直線部用ストッパー金具を移動可能に嵌合させてなる耐震離脱抵抗部と、該耐震離脱抵抗部の差し込み方向手前側に距離を置いて所望の周方向ピッチで半径方向に向けて配置した複数のスラスト抵抗用ストッパー嵌合部にそれぞれ直線部用ストッパー金具を移動可能に嵌合させてなるスラスト抵抗部とを備え、前記直線部用カラー部に前記直線部用差し込み部を差し込み、前記直線部用差し込み部の外周面より前記各直線部用ストッパー金具を突出させ、前記スラスト抵抗部の直線部用ストッパー金具を前記直線部用抜け出し防止凸部と係合させ、前記直線部用両管体間に一定以上の力が作用した際には前記スラスト抵抗部の直線部用ストッパー金具が破損し、前記直線部用抜け出し防止用凸部が前記耐震離脱抵抗部側に移動できるようにした直線部用耐震離脱防止継手を備えていることにより、曲線部に隣接する直線部において、通常時には、スラスト力の反力に対抗でき、地震動等が発生した際には、管路全体が鎖構造管路を成し、互いに連動して大規模な地震動等による外力に対抗することができる。
【図面の簡単な説明】
【００２７】
【図１】本発明に係る地中管路の一例を示す平面図である。
【図２】図１中の曲線部用管体を示す部分拡大断面図である。
【図３】図１中の曲線部離脱防止継手を示す断面図である。
【図４】図３中のａ−ａ線断面図である。
【図５】図１中の直線部用管体を示す部分拡大断面図である。
【図６】図１中の直線部離脱防止継手を示す断面図である。
【図７】（ａ）は図６中のｂ−ｂ線断面図、（ｂ）は同ｃ−ｃ線断面図である。
【図８】（ａ）は地震動等による外力が作用した際の曲線部離脱防止継手の初期段階挙動を説明する為の断面図、（ｂ）は同ａ−ａ線断面図である。
【図９】（ａ）は同上の曲線部離脱防止継手が最も伸長した状態を示す断面図、（ｂ）は同ａ−ａ線断面図である。
【図１０】（ａ）は通常時の直線部用耐震離脱防止継手の状態を示す部分拡大断面図、（ｂ）は同地震動が作用した際の状態を示す部分拡大断面図である。
【発明を実施するための形態】
【００２８】
次に、本発明に係る管路曲線部用耐震離脱防止継手及びそれを使用した地中管路の実施態様を図に基づいて説明する。尚、図中符号Ａは農業用水路等に使用される地中管路である。
【００２９】
また、本実施例においては、後述する差し込み部のカラー部に対する挿入方向を基準に説明し、差し込み部の挿入方向先端側を前とする。
【００３０】
地中管路Ａは、複数の曲線部用管体１，１を互いに傾けて曲線布設してなる曲線部と、直線部用管体２，２を直線的に布設してなる直線部とを備え、曲線部用管体１，１及び直線部用管体２，２が推進工法により地中に埋設され、曲線部を構成する曲線部用管体１，１間が管路曲線部用耐震離脱防止継手３によって連結され、曲線部用管体１と直線部用管体２との間及び直線部用管体２，２間が直線部用耐震離脱防止継手４により連結されている。
【００３１】
曲線部用管体１，１は、図２に示すように、それぞれ合成鋼管からなる推進管であり、外殻鋼管５の内周にコンクリート層６からなるライニングが施された構造となっている。尚、本実施例の曲線部用管体１は、直線部用管体２よりも全長が短くなっている。
【００３２】
尚、図中符号７，８は、それぞれ管体の端面に配置された端板、符号９、１０はそれぞれ外殻鋼管５の内周面に周方向に間隔を置いて突設された補強用リブであり、各端板７，８が補強用リブ９，１０の先端に支持されている。
【００３３】
管路曲線部用耐震離脱防止継手３は、図３、図４に示すように、連結される一方の管体１の端面より他方側に突出した筒状のカラー部１１と、他方の管体１の端部に配置され、カラー部１１内に挿入される差し込み部１２と、カラー部１１の内周面と差し込み部１２の外周面との隙間に介在させた止水パッキン１３と、カラー部１１の内周面にリング状に突出した抜け出し防止凸部１４と、差し込み部１２の先端側外周部に互いに周方向に間隔を置いてそれぞれ半径方向に向けた複数のストッパー嵌合部１５，１５...と、ストッパー嵌合部１５，１５...に半径方向に移動可能に嵌合させたストッパー金具１６ａ〜１６ｍとを備え、カラー部１１に差し込み部１２を差し込んだ状態でストッパー金具１６ａ〜１６ｍを抜け出し防止凸部１４より差し込み方向前方で差し込み部１２外周面より突出させ、両管体１，１を離脱不能に接続するようになっている。
【００３４】
また、管路曲線部用耐震離脱防止継手３は、差し込み部１２の周方向の他の部分（以下、通常離脱抵抗部１７という）に比べて、ストッパー金具１６ｇ〜１６ｍを差し込み部１２の外周面から多く突出させている強強度離脱抵抗部１８を備え、強強度離脱抵抗部１８を曲線布設される各管体間の布設半径中心側に配置させ、布設半径中心側で管体端面を突き合わせ、布設半径外周側のストッパー金具１６ｃ，１６ｄと抜け出し防止凸部１４とを係合させるようにしている。
【００３５】
カラー部１１は、外殻鋼管５の後端を延長した鋼管により形成され、管体１の端面より他方側（後方）に向けて一体に突出している。
【００３６】
このカラー部１１の内周面には、後端側にリング状に突出した抜け出し防止凸部１４を備え、その更に後端側に環状の止水パッキン１３が嵌合されている。
【００３７】
また、カラー部１１の後端内周面には、パッキン離脱防止用の丸棒からなるストッパー部材１９が固定されており、止水パッキン１３の外周面がカラー部１１の内周面に固定され、ストッパー部材１９に当て止めされて止水パッキン１３がカラー部１１より抜け出ないようになっている。
【００３８】
抜け出し防止凸部１４は、鋼材等の金属部材によりリング状に形成され、その外周が全周に亘ってカラー部１１の内周面に溶接等によって強固に固定されている。
【００３９】
止水パッキン１３の態様は、特に限定されないが、例えば、内周側が差し込み部１２の差し込み方向に傾斜させた複数の湾曲部１３ａ，１３ａ...を備えた形状に一体成形されたものを使用する。
【００４０】
差し込み部１２は、外殻鋼管５の端部を縮径加工した差し込み部外殻２０を有し、その内周面が前述したコンクリート層６でライニングされた構造となっている。
【００４１】
この差し込み部１２には、先端側外周部に互いに周方向に間隔を置いてそれぞれ半径方向に向けた複数のストッパー嵌合部１５，１５...を備え、各ストッパー嵌合部１５，１５...が放射状を成している。
【００４２】
各ストッパー嵌合部１５，１５...は、アンカーナット２１の先端を差し込み部外殻２０に形成した孔内に挿入し、差し込み部外殻２０及び補強用リブ１０に溶接し、これをコンクリート層６内に埋め込むことによって形成されている。
【００４３】
また、各ストッパー嵌合部１５，１５...には、ストッパー金具１６ａ〜１６ｍが半径方向に移動可能に嵌合され、このストッパー金具１６ａ〜１６ｍが差し込み部１２の外周面より外向きに突出するようになっている。
【００４４】
ストッパー金具１６ａ〜１６ｍは、先端に小径部２２を有する円柱状に形成され、先端の小径部２２を除く外周面には雄ネジ２３が刻設され、この雄ネジ２３をアンカーナット２１の雌ネジに螺合させることによりストッパー嵌合部１５，１５...に嵌合されるようになっている。
【００４５】
ストッパー金具１６ａ〜１６ｍの後端には、角型レンチ、例えば六角レンチ用の六角穴からなるレンチ穴２４が形成され、この管内からレンチ穴２４に角型レンチを嵌合させ回転させることにより、ストッパー金具１６ａ〜１６ｍがストッパー嵌合部１５，１５...内で螺進し、半径方向で移動できるようになっている。
【００４６】
また、ストッパー金具１６ａ〜１６ｍは、その全長、即ち先端からレンチ穴２４が開口している端面までの長さが差し込み部１２のコンクリート層６の厚さより短く形成され、アンカーナット２１内に収容された状態にしておき、操作によって先端部が差し込み部１２の外周より突出するようになっている。
【００４７】
強強度離脱抵抗部１８は、図３に示すように、ストッパー嵌合部１５，１５間の周方向ピッチが通常離脱抵抗部１７に比べて狭く（本実施例では１／２に設定）、その分、ストッパー嵌合部１５，１５...の数が通常離脱抵抗部１７より多く（本実施例では倍）備え、ストッパー金具１６ｇ〜１６ｍを通常離脱抵抗部１７より多く備えている。
【００４８】
直線部用管体２は、図５に示すように、合成鋼管からなる推進管であり、外殻鋼管３０の内周にコンクリート層３１からなるライニングが施された構造となっている。
【００４９】
尚、図中符号３２，３３は、それぞれ管体の端面に配置された端板、符号３４，３５はそれぞれ外殻鋼管３０の内周面に周方向に間隔を置いて突設された補強用リブであり、各端板３２，３３が補強用リブ３４，３５の先端に支持されている。また、図中符号５２は端板３２，３３間に介在させる端面クッション材である。
【００５０】
直線部用管体２，２間を連結する直線部用耐震離脱防止継手４は、図６、図７に示すように、連結される一方の直線部用管体２の端面より他方側に突出した筒状の直線部用カラー部３６と、他方の直線部用管体２の端部に配置され、直線部用カラー部３６内に挿入される直線部用差し込み部３７と、直線部用カラー部３６の内周面と直線部用差し込み部３７の外周面との隙間に介在させた直線部用止水パッキン３８と、直線部用カラー部３６の内周面にリング状に突出した直線部用抜け出し防止凸部３９と、直線部用差し込み部３７の先端側外周部に所望の周方向ピッチで半径方向に向けた複数の耐震離脱抵抗用ストッパー嵌合部４０，４０...にそれぞれ直線部用ストッパー金具４１，４１...を移動可能に嵌合させてなる耐震離脱抵抗部４２と、耐震離脱抵抗部４２の差し込み方向手前側に距離を置いた位置に配置され、所望の周方向ピッチで半径方向に向けた複数のスラスト抵抗用ストッパー嵌合部４３，４３...にそれぞれ直線部用ストッパー金具４４，４４...を移動可能に嵌合させてなるスラスト抵抗部４５とを備え、直線部用カラー部３６に直線部用差し込み部３７を差し込み、その状態で直線部用差し込み部３７の外周面より各直線部用ストッパー金具４１，４１...、４４，４４...を突出させ、スラスト抵抗部４５の直線部用ストッパー金具４４，４４...を直線部用抜け出し防止凸部３９と係合させている。
【００５１】
直線部用カラー部３６は、外殻鋼管３０の後端を延長した鋼管により形成され、直線部用管体２の端面より他方側（後方）に向けて一体に突出している。
【００５２】
この直線部用カラー部３６の内周面には、後端側にリング状に突出した直線部用抜け出し防止凸部３９を備え、その更に後端側に環状の直線部用止水パッキン３８が嵌合されている。
【００５３】
また、直線部用カラー部３６の後端内周面には、パッキン離脱防止用の丸棒からなるストッパー部材４６が固定されており、直線部用止水パッキン３８の外周面が直線部用カラー部３６の内周面に固定され、ストッパー部材４６に当て止めされて直線部用止水パッキン３８が直線部用カラー部３６より抜け出ないようになっている。
【００５４】
直線部用抜け出し防止凸部３９は、鋼材等の金属部材によりリング状に形成され、その外周が全周に亘って直線部用カラー部３６の内周面に溶接等によって強固に固定されている。
【００５５】
直線部用止水パッキン３８の態様は、特に限定されないが、例えば、内周側が直線部用差し込み部３７の差し込み方向に傾斜させた複数の湾曲部３８ａ，３８ａを備えた形状に一体成形されたものを使用する。
【００５６】
直線部用差し込み部３７は、外殻鋼管３０の端部を縮径加工した差し込み部外殻４７を有し、その内周面が前述したコンクリート層３１がライニングされた構造となっている。
【００５７】
この直線部用差し込み部３７には、その差し込み方向先端側外周部に互いに所望の周方向ピッチでそれぞれ半径方向に配置した複数の耐震離脱抵抗用ストッパー嵌合部４０，４０...を備えるとともに、耐震離脱抵抗部４２と差し込み方向に一定の距離を置いた位置の外周部に所望の周方向ピッチでそれぞれ半径方向に向けた複数のスラスト抵抗用ストッパー嵌合部４３，４３...を備えている。
【００５８】
スラスト抵抗用ストッパー嵌合部４３，４３...は、その周方向ピッチが耐震離脱抵抗用ストッパー嵌合部４０，４０...の周方向ピッチより広く、その分、耐震離脱抵抗部４２の直線部用ストッパー金具４１，４１...の数量に比べてスラスト抵抗部４５における直線部用差し込み部３７の外周面より突出する直線部用ストッパー金具４４，４４...の数量が少なくなっている。
【００５９】
即ち、スラスト抵抗部４５は、地震動等の外力に対する十分な耐力が確保された耐震離脱抵抗部４２に比べて直線部用ストッパー金具４４，４４...の数量を少なくすることで、両直線部用管体２，２間に作用するスラスト力に対抗可能であるが、それを超える大きな外力に対しては直線部用ストッパー金具４４，４４...が破断するように構成されている。
【００６０】
各耐震離脱抵抗用ストッパー嵌合部４０，４０...及び各スラスト抵抗用ストッパー嵌合部４３，４３...は、それぞれアンカーナット４８の先端を差し込み部外殻４７に形成した孔内に挿入し、差し込み部外殻４７及び補強用リブ３５に溶接し、これをコンクリート層３１内に埋め込むことによって形成されている。
【００６１】
また、各耐震離脱抵抗用ストッパー嵌合部４０，４０...及び各スラスト抵抗用ストッパー嵌合部４３，４３...には、それぞれ直線部用ストッパー金具４１，４４が半径方向に移動可能に嵌合され、この直線部用ストッパー金具４１，４４が直線部用差し込み部３７の外周面より外向きに突出するようになっている。
【００６２】
直線部用直線部用ストッパー金具４１，４４は、共に先端に小径部４９を有する円柱状に形成され、先端の小径部４９を除く外周面には雄ネジ５０が刻設され、この雄ネジ５０をアンカーナット４８の雌ネジに螺合させることにより耐震離脱抵抗用ストッパー嵌合部４０及びスラスト抵抗用ストッパー嵌合部４３に嵌合されるようになっている。
【００６３】
直線部用直線部用ストッパー金具４１，４４の後端には、角型レンチ、例えば六角レンチ用の六角穴からなるレンチ穴５１が形成され、この管内からレンチ穴５１に角型レンチを嵌合させ回転させることにより、直線部用ストッパー金具４１，４４が耐震離脱抵抗用ストッパー嵌合部４０及びスラスト抵抗用ストッパー嵌合部４３内で螺進し、半径方向で移動できるようになっている。
【００６４】
また、直線部用ストッパー金具４１，４４は、その全長、即ち先端からレンチ穴５１が開口している端面までの長さが直線部用差し込み部３７のコンクリート層３１の厚さより短く形成され、アンカーナット４８内に収容された状態にしておき、操作によって先端部が直線部用差し込み部３７の外周より突出するようになっている。
【００６５】
次に、本発明に係る地中管路Ａにおける如き管路曲線部用耐震離脱防止継手３及び直線部用離脱防止継手４の態様について詳説する。
【００６６】
この地中管路Ａでは、両曲線部用管体１，１の端板７，８間に、端面クッション材２５を介してカラー部１１に差し込み部１２を差し込みつつ、強強度離脱抵抗部１８を内側に配置して所望の布設半径を成すように互いに傾けつつ曲線部用管体１，１を推進させて曲線部を構築する。
【００６７】
このように各曲線部用管体１，１を地中に埋設することにより、布設半径中心側で管体端面２ａ，２ｂが突き合わされた状態となり、その状態で各ストッパー金具１６ａ〜１６ｍをその先端が、カラー部１１の抜け出し防止凸部１４の内径より外側に位置するまで突出させ、布設半径外周側のストッパー金具１６ｃ，１６ｄと抜け出し防止凸部１４とを係合させる。その際、ストッパー金具１６ａ〜１６ｍは、その先端がカラー部１１の内周面に当接されるまで突出させることによって、所望の突出長さとなったことが確認できる。
【００６８】
通常時においては、図１に示すように、地中管路Ａ内を通る流体圧力によって各曲線部用管体１，１に布設半径方向外側にスラスト力Ｓが作用し、各曲線部用管体１，１には、布設半径外側に布設半径外側が互いに離脱させる方向に当該スラスト力Ｓの分力が作用する。
【００６９】
このスラスト力Ｓに対し、管路曲線部用耐震離脱防止継手３は、図３、図４に示すように、布設半径中心側で管体１，１端面が突き合わされ、布設半径外周側のストッパー金具１６ｃ，１６ｄと抜け出し防止凸部１４とが係合された状態にあるので、布設半径外側に配置されたストッパー金具１６ｃ，１６ｄのせん断抵抗、即ち通常離脱抵抗部１７によって対抗し、曲線部用管体１，１同士或いは曲線部用管体１，１と直線部用管体２，２とが互いに離脱防止されている。
【００７０】
その際、布設半径中心側に配置された各ストッパー金具１６ｇ〜１６ｍ、即ち、強強度離脱抵抗部１８を構成しているストッパー金具１６ｇ〜１６ｍは、管軸方向で抜け出し防止凸部１４と距離を隔てた状態にあり、スラスト力Ｓに対する抵抗としては寄与していない状態にあるが、スラスト力Ｓが地震動等による外力に比べて小さく、布設半径方向に作用する力であるので、通常離脱抵抗部１７、即ち、布設半径外側に配置されたストッパー金具１６ｃ，１６ｄのせん断耐力のみで十分にスラスト力Ｓに抵抗できるようになっている。
【００７１】
この管路曲線部用耐震離脱防止継手３では、地震動による地盤変位や地割れによって管体が互いに離脱する方向に大きな外力が作用した場合、まず、通常離脱抵抗部１７を構成するストッパー金具１６ｃ，１６ｄのせん断耐力で外力に対抗しつつ、差し込み部１２が抜け出し方向に移動して地盤変位を吸収する。
【００７２】
しかしながら、通常離脱抵抗部１７を構成するストッパー金具１６ｃ，１６ｄは、始めから抜け出し防止凸部１４と係合した状態にあるので、当該外力が通常離脱抵抗部１７を構成するストッパー金具１６ｃ，１６ｄのせん断耐力を超える場合、図８に示すように、差し込み部１２が抜け出し方向に移動しきる前に布設半径外側より順に通常離脱抵抗部１７を構成するストッパー金具１６ｃ，１６ｄの先端の小径部２２が破断する。
【００７３】
そして、そのストッパー金具１６ｃ、１６ｄが破断すると、破断したストッパー金具１６ｃ，１６ｄの布設半径中心側に配置されたストッパー金具１６ｂ、１６ｅと抜け出し防止凸部１４との間のスペースを利用して差し込み部１２が抜け出し方向に移動して変位を吸収する。
【００７４】
また、作用する外力によっては、更にストッパー金具１６ｂ、１６ｅの破断によって、破断したストッパー金具１６ｂ，１６ｅの布設半径中心側に配置されたストッパー金具１６ａ、１６ｆと抜け出し防止凸部１４との間のスペースを利用して差し込み部１２が抜け出し方向に移動して変位を吸収する。
【００７５】
そして、差し込み部１２が更に抜け出し方向に移動すると、図９に示すように、強強度離脱抵抗部１８を構成するストッパー金具１６ｇ〜１６ｍが抜け出し防止凸部１４に係合し、残存するストッパー金具１６ｇ〜１６ｍのせん断耐力で地震動等による外力に対抗し、それ以上の差し込み部１２の抜け出しが防止される。
【００７６】
その際、強強度離脱抵抗部１８がストッパー金具１６ｇ〜１６ｍを通常離脱抵抗部１７に比べて多く備えるため、その分当該外力が分散されるので、通常離脱抵抗部１７を構成するストッパー金具１６ａ〜１６ｆの一部又は全部が欠損していても、管路曲線部用耐震離脱防止継手３は、常に高い抜け出し抵抗力が維持される。
【００７７】
一方、この地中管路Ａでは、地中管路Ａの曲線部に隣接する直線部を構成する直線部用管体２，２間に直線部用耐震離脱防止継手４を備え、鎖構造管路となっている。
【００７８】
直線部用耐震離脱防止継手４は、通常の場合、図１０（ａ）に示すように、スラスト抵抗部４５の直線部用ストッパー金具４１，４１...が直線部用抜け出し防止凸部３９と係合しているので、直線部用カラー部３６と直線部用差し込み部３７とが互いに移動不能な状態にあり、直線部では、スラスト力Ｓに対抗する地盤抵抗を得る為に必要十分な長さに亘って直線部用管体２，２が互いに移動不能な状態が確保されている。
【００７９】
一方、地震動による地盤変位や地割れによって管体が互いに離脱する方向に大きな外力が作用し、各管路曲線部用耐震離脱防止継手３で地盤変位を吸収しきれない場合には、曲線部用管体１，１間が強強度離脱抵抗部１８によって連結強度が維持されているので、曲線部に連鎖して直線部用耐震離脱防止継手４にも地震動等による力が作用する。
【００８０】
その際、スラスト抵抗部４５では、直線部用ストッパー金具４４，４４...の数量が少ないことから、直線部用ストッパー金具４４，４４...のせん断耐力を超える大きな外力が作用すると各ストッパー４４，４４...が破断し、直線部用カラー部３６に対して直線部用差し込み部３７が移動可能な状態になり、直線部用管体２，２が互いに移動して変位を吸収できる状態となる。
【００８１】
そして、直線部用差し込み部３７が更に抜け出し方向に移動すると、図１０（ｂ）に示すように、直線部用抜け出し防止凸部３９が耐震離脱抵抗部４２の直線部用ストッパー金具４１，４１...と係合し、耐震離脱抵抗部４２の直線部用ストッパー金具４１，４１...のせん断抵抗で地震動等による外力に対抗し、それ以上の直線部用カラー部３６からの直線部用差し込み部３７の抜け出しを防止する。
【００８２】
その際、耐震離脱抵抗部４２では、直線部用ストッパー金具４１，４１...を多く備え、その分地震動等の外力が分散されるため高い耐力が維持されており、地震動等による大きな外力に対抗でき、直線部用カラー部３６からの直線部用差し込み部３７の抜け出しを好適に防止できるようになっている。
【００８３】
次に、地震動発生後の管路曲線部用耐震離脱防止継手３の復元について説明する。
【００８４】
上述したように、本発明に係る管路曲線部用耐震離脱防止継手３では、地震動等による外力が通常離脱抵抗部１７を構成するストッパー金具１６ａ〜１６ｆのせん断耐力を超える場合、差し込み部１２が抜け出し方向に移動しきる前に布設半径外側より順に通常離脱抵抗部１７を構成するストッパー金具１６ａ〜１６ｆの先端の小径部２２が破断する。
【００８５】
その為、地震動終息後の管路曲線部用耐震離脱防止継手３では、布設半径外側に配置されたストッパー金具１６ａ〜１６ｆが破損しているので、継手の布設半径外側の移動が規制されておらず、スラスト力Ｓに対抗することが出来ない状態にある。
【００８６】
しかしながら、この管路曲線部用耐震離脱防止継手３では、通常離脱抵抗部１７を構成する破損したストッパー金具１６ｃ，１６ｄを取り外し、新たなストッパー金具１６ｃ，１６ｄを取り付けることによって、通常離脱抵抗部１７を構成するストッパー金具１６ｃ，１６ｃが抜け出し防止凸部１４と係合するので、布設半径外側に配置されたストッパー金具１６ｃ，１６ｄのせん断抵抗、即ち通常離脱抵抗部１７によってスラスト力Ｓに対抗する状態に復元することができる。
【００８７】
また、地震終息後では、カラー部１１と差し込み部１２とがどの様な位置で静止しているか分からない場合もあるが、その場合であっても、通常離脱抵抗部１７を構成するすくなくとも何れか１のストッパー金具１６ａ〜１６ｆが抜け出し防止凸部１４と係合すれば、スラスト力に対抗する状態に復元することができる。
【００８８】
また、直線部用耐震離脱防止継手４においても、破断したスラスト抵抗部４５の直線部用ストッパー金具４４，４４...を交換することによりスラスト力Ｓに対抗する状態に復元することができる。
【００８９】
尚、上述の実施例では、強強度離脱抵抗部１８は、差し込み部１２の通常離脱抵抗部１７に比べて、ストッパー嵌合部１５，１５間の周方向ピッチが狭く、ストッパー嵌合部１５，１５...を多く備えている場合について説明したが、差し込み部１２には、周方向で等間隔にストッパー嵌合部１５，１５...を備え、強強度離脱抵抗部１８では、各ストッパー金具を差し込み部の外周面より突出させ、通常離脱抵抗部１７では、各ストッパー金具を間欠的に突出させるようにして、通常離脱抵抗部１７に比べて強強度離脱抵抗部１８で外周面に突出させたストッパー金具が多くなるようにしてもよい。
【００９０】
また、上述の実施例では、各管体に合成鋼管からなる推進管を使用した例について説明したが、各管体はこれに限定されない。
【符号の説明】
【００９１】
Ａ  地中管路
１  曲線部用管体
２  直線部用管体
３  管路曲線部用耐震離脱防止継手
４  直線部用耐震離脱防止継手
５  外殻鋼管
６  コンクリート層
７  端板
８  端板
９  補強用リブ
１０  補強用リブ
１１  カラー部
１２  差し込み部
１３  止水パッキン
１４  抜け出し防止凸部
１５  ストッパー嵌合部
１６ａ〜１６ｍ  ストッパー金具
１７  通常離脱抵抗部
１８  強強度離脱抵抗部
１９  ストッパー部材
２０  差し込み部外殻
２１  アンカーナット
２２  小径部
２３  雄ネジ
２４  レンチ穴
２５  端面クッション材
３０  外殻鋼管
３１  コンクリート層
３２，３３  端板
３４，３５  補強用リブ
３６  直線部用カラー部
３７  直線部用差し込み部
３８  直線部用止水パッキン
３９  直線部用抜け出し防止凸部
４０  耐震離脱抵抗用ストッパー嵌合部
４１  直線部用ストッパー金具
４２  耐震離脱抵抗部
４３  スラスト抵抗用ストッパー嵌合部
４４  直線部用ストッパー金具
４５  スラスト抵抗部
４６  ストッパー部材
４７  差し込み部外殻
４８  アンカーナット
４９  小径部
５０  雄ネジ
５１  レンチ穴
５２  端面クッション材
【図１】
0006300161.tif 000002
【図２】
0006300161.tif 000003
【図３】
0006300161.tif 000004
【図４】
0006300161.tif 000005
【図５】
0006300161.tif 000006
【図６】
0006300161.tif 000007
【図７】
0006300161.tif 000008
【図８】
0006300161.tif 000009
【図９】
0006300161.tif 000010
【図１０】
0006300161.tif 000011